(57)【特許請求の範囲】
【請求項１】
装置本体に基台支持体を介して主弾性体の作用下で上下動可能に配置した基台と、この基台に取付けた主光学機器及び補助光学機器の取付可能な光学要素取付部とを有する光学機器の重量均衡を行う重量均衡装置であって、
前記基台と基台支持体との間に作用状態で介在した補助弾性体と、
前記光学要素取付部への補助光学機器の取付状況の変化に応じて前記補助弾性体から基台に作用する力量を調整する調整ねじ体を用いた力量調整機構部と、
前記調整ねじ体による力量調整に伴い前記補助弾性体から基台に作用する力量値を表示する目盛表示部と、
を有することを特徴とする光学機器の重量均衡装置。
【請求項２】
装置本体に基台支持体を介して主弾性体の作用下で上下動可能に配置した基台と、この基台に取付けた主光学機器及び補助光学機器の取付可能な光学要素取付部とを有する光学機器の重量均衡を行う重量均衡装置であって、
前記基台と基台支持体との間に作用状態で介在した複数個の補助弾性体と、
前記光学要素取付部への補助光学機器の取付状況の変化に応じて前記複数個の補助弾性体から基台に作用する各力量を連動機構を介して連動調整する調整ねじ体を用いた力量調整機構部と、
前記調整ねじによる力量調整に伴い前記補助弾性体から基台に作用する力量値を表示する目盛表示部と、
を有することを特徴とする光学機器の重量均衡装置。
【請求項３】
前記力量調整機構部は、基台の上面から基台支持体側に向かって突設され、ねじ孔の一部をねじ込み方向に沿って欠如させたねじ筒と、このねじ筒に頂部に設けた膨出部外周のねじを螺合させた調整ねじ体を有し、
前記目盛表示部は、前記ねじ筒のねじ孔の欠如部分に沿って形成した基台上方から視認可能な凹溝部に前記力量値を表示する目盛を設けて構成したこと、
を特徴とする請求項１又は２記載の光学機器の重量均衡装置。
【請求項４】
前記力量調整機構部は、基台の上面から基台支持体側に向かって突設され、ねじ孔の一部をねじ込み方向に沿って欠如させたねじ筒と、このねじ筒に頂部に設けた膨出部外周のねじを螺合させた調整ねじ体を有し、
前記目盛表示部は、前記ねじ筒におけるねじ孔の欠如部分の外周近傍に沿って基台側面の視認窓から視認可能に形成した前記力量値を表示する目盛を設けて構成したこと、
を特徴とする請求項１又は２記載の光学機器の重量均衡装置。
【発明の詳細な説明】
【０００１】
【発明の属する技術分野】
本発明は、光学機器の重量均衡装置に関し、より詳しくは、各種光学要素を取付けたり又は取り外した状態で上下動する基台を具備する光学機器に適用して好適な重量均衡装置に関する。
【０００２】
【従来の技術】
光学機器の従来例としてのフォトスリットランプ３０を図９に示す。
【０００３】
同図に示すフォトスリットランプ３０は、装置本体３１における固定配置の平坦な装置基板３２上において図示しない移動機構部によりＸ，Ｙ方向に移動可能に配置された基台支持体３３と、この基台支持体３３に対し、図１０に示す主弾性体としての主コイルばね４１の弾性力の作用下でＺ方向に上下動可能に配置された基台３４と、この基台３４に対し回動可能に配置された取付筒部３５ａ及びこの取付筒部３５ａと一体で基台３４の上方を経て垂直上方に湾曲形成した光学要素取付部３５ｂからなる取付体３５と、前記取付筒部３５ａに垂直配置に取付けた照明部３６、スリット部３７と、前記光学要素取付部３５ｂの上端領域に取付けた顕微鏡３８及び補助取付部３９と、前記スリット部３７の近傍で、かつ、前記顕微鏡３８に対峙する領域に取付けた被観察者用のあご受部材４０とを具備している。
【０００４】
前記補助取付部３９には、図９に示すようにカメラ４８が取付けられ、顕微鏡３８で観察する被観察者の眼の撮影を行ったり、カメラ４８を取り外したりするようになっている。
【０００５】
前記基台支持体３３及び基台３４は、図１０に拡大して示すように、基台支持体３３の上面部３３ａと、基台３４の内底部３４ａとの間に主コイルばね４１を備えると共に、基台支持体３３に備えた上下動機構部４２により基台３４をＺ方向（上下方向）に移動可能に支持している。
【０００６】
前記上下動機構部４２は、基台支持体３３の一方の端部側に回転可能に配置され、上端部に把手４３ａを固着した駆動軸４３と、この駆動軸４３に固着した第１の歯車４４と、この第１の歯車４４に噛合させた第２の歯車４５と、この第２の歯車４５に噛合させ、かつ、上端部に雌ねじ部４６ａを備えた第３の歯車４６と、前記雌ねじ部４６ａに下端側に設けたねじ部４７ａを螺合させると共に、上端側を前記主コイルばね４１を貫いて前記基台３４の内底部３４ａに当接させた移動ねじ体４７とを具備している。
【０００７】
そして、前記主コイルばね４１の弾性力の作用により前記受台３４に加わる重量を緩和しながら、把手４３ａを回転し、この回転力を第１，第２，第３の歯車４４，４５，４６を介して前記雌ねじ４６ａに伝達することにより、移動ねじ体４７をＺ方向に変位させ、前記基台３４を上下動させるようになっている。
【０００８】
【発明が解決しようとする課題】
しかしながら、上述したフォトスリットランプ３０の場合、前記補助取付部３９に取付けられるカメラ４８はこの補助取付部３９に対し着脱自在であり、図１１に示すようにカメラ４８を取外して使用する場合と、図９に示すように補助取付部３９にカメラ４８を装着して使用する場合とでは、このカメラ４８の重量  （例えば約２Ｋｇ）に対応して重量分布の相違が生じる。
【０００９】
このため、カメラ４８を補助取付部３９に装着した場合においては、前記移動ねじ体４７に非装着時よりも大きい力が作用して、前記把手４３ａの回転力量の増大を招き、基台３４を円滑に上下動させることができなくなって操作性を低下させてしまうという問題がある。
【００１０】
本発明は上記事情に鑑みてなされたものであり、カメラ等の補助光学機器の取付状態に変更が生じても、常に簡略な調整で重量均衡を図ることが可能であり、かつ、調整に伴う力量も客観的に把握できる光学機器の重量均衡装置を提供するものである。
【００１１】
【課題を解決するための手段】
請求項１記載の発明は、装置本体に基台支持体を介して主弾性体の作用下で上下動可能に配置した基台と、この基台に取付けた主光学機器及び補助光学機器の取付可能な光学要素取付部とを有する光学機器の重量均衡を行う重量均衡装置であって、前記基台と基台支持体との間に作用状態で介在した補助弾性体と、前記光学要素取付部への補助光学機器の取付状況の変化に応じて前記補助弾性体から基台に作用する力量を調整する調整ねじ体を用いた力量調整機構部と、前記調整ねじ体による力量調整に伴い前記補助弾性体から基台に作用する力量値を表示する目盛表示部とを有することを特徴とするものである。
【００１２】
この発明によれば、補助光学機器の取付状態に変更が生じた場合において、前記調整ねじ体を調整する簡略な操作だけで補助弾性体から基台に作用する力量を調整し重量均衡をとることができ、また、この際、目盛表示部の目盛に対する調整ねじ体の位置を視認することで、調整ねじ体の調整に伴う力量も客観的に把握することができる。
【００１３】
請求項２記載の発明は、装置本体に基台支持体を介して主弾性体の作用下で上下動可能に配置した基台と、この基台に取付けた主光学機器及び補助光学機器の取付可能な光学要素取付部とを有する光学機器の重量均衡を行う重量均衡装置であって、前記基台と基台支持体との間に作用状態で介在した複数個の補助弾性体と、前記光学要素取付部への補助光学機器の取付状況の変化に応じて前記複数個の補助弾性体から基台に作用する各力量を連動機構を介して連動調整する調整ねじ体を用いた力量調整機構部と、前記調整ねじによる力量調整に伴い前記補助弾性体から基台に作用する力量値を表示する目盛表示部とを有することを特徴とするものである。
【００１４】
この発明によれば、補助光学機器の取付状態に変更が生じた場合において、前記１個の調整ねじ体を調整する簡略な操作だけで、複数個の補助弾性体から基台に作用する力量を連動して調整し重量均衡をとることができ、また、この際、目盛表示部の目盛に対する調整ねじ体の位置を視認することで調整ねじ体の調整に伴う力量も客観的に把握することができる。
【００１５】
請求項３記載の発明は、請求項１又は２記載の光学機器の重量均衡装置において、前記力量調整機構部は、基台の上面から基台支持体側に向かって突設され、ねじ孔の一部をねじ込み方向に沿って欠如させたねじ筒と、このねじ筒に頂部に設けた膨出部外周のねじを螺合させた調整ねじ体を有し、前記目盛表示部は、前記ねじ筒のねじ孔の欠如部分に沿って形成した基台上方から視認可能な凹溝部に前記力量値を表示する目盛を設けて構成したことを特徴とするものである。
【００１６】
この発明によれば、ねじ孔の一部をねじ込み方向に沿って欠如させたねじ筒に螺合した調整ねじ体を調整する簡略な操作だけで、前記補助弾性体から基台に作用する力量を調整し重量均衡をとることができ、また、基台上方から視認可能な凹溝部に設けた目盛に対する調整ねじ体の位置を見て調整ねじ体の調整に伴う力量も客観的に把握することができる。
【００１７】
請求項４記載の発明は、請求項１又は２記載の光学機器の重量均衡装置において、前記力量調整機構部は、基台の上面から基台支持体側に向かって突設され、ねじ孔の一部をねじ込み方向に沿って欠如させたねじ筒と、このねじ筒に頂部に設けた膨出部外周のねじを螺合させた調整ねじ体を有し、前記目盛表示部は、前記ねじ筒におけるねじ孔の欠如部分の外周近傍に沿って基台側面の視認窓から視認可能に形成した前記力量値を表示する目盛を設けて構成したことを特徴とするものである。
【００１８】
この発明によれば、ねじ孔の一部をねじ込み方向に沿って欠如させたねじ筒に螺合した調整ねじ体を調整する簡略な操作だけで、前記補助弾性体から基台に作用する力量を調整し重量均衡をとることができ、また、基台側面の視認窓から、前記ねじ筒におけるねじ孔の欠如部分の外周近傍に沿って設けた目盛に対する調整ねじ体の位置を見ることで、調整ねじ体の調整に伴う力量も客観的に把握することができる。
【００１９】
【発明の実施の形態】
以下に、本発明の実施の形態を詳細に説明する。
【００２０】
（実施の形態１）
図１乃至図４を参照して本発明の実施の形態１を説明する。尚、本実施の形態１において、図９に示す従来の光学機器であるフォトスリットランプと同一の機能を有するものには同一の符号を付して示す。
【００２１】
本実施の形態１のフォトスリットランプは、基本的には従来例と略同一の構成を有するが、前記基台支持体３３及び基台３４に対し本実施の形態１特有の重量均衡装置１を組込んだことが特徴である。
【００２２】
本実施の形態１の重量均衡装置１は、前記基台支持体３３の上面部３３ａと、基台３４との間の領域に介在配置した補助弾性体としての補助コイルばね２と、この補助コイルばね２の基台３４に対する力量（弾性力）を常に作用状態とする力量調整機構部３と、この力量調整機構部３に設けた補助コイルばね２の基台３４に対する力量を表示する目盛表示部１０とを有している。
【００２３】
力量調整機構部３は、頂部側に外周にねじを設けた膨出部５ｂを備え、突出端５ｃ側を前記補助コイルばね２を貫いて基台支持体３３の厚肉部３３ｂに設けた孔６ａに係合させた調整ねじ体５と、基台３４の上面から基台支持体３３側に向かって突設され、前記膨出部５ｂ外周のねじに螺合するねじ孔の一部をねじ込み方向に沿って欠如させたねじ筒３４ｂとを具備している。前記膨出部５ｂの上面にはドライバー等による調整用の凹部５ａを設けている。
【００２４】
前記目盛表示部１０は、図３、図４に示すように、ねじ筒３４ｂのねじの欠如部分３４ｃに連なる状態に設けた前記基台３４の上方から視認可能な凹溝部１１に、力量値を表示する目盛１２を設けた構成となっている。
【００２５】
この目盛１２は、本実施の形態１では例えば０ｇから１００ｇを表示する例を示すが、補助光学機器の重量に対応して設計変更する補助コイルばね２の力量に応じて種々の値に設定できることはいうまでもない。
【００２６】
また、上述した補助コイルばね２、力量調整機構部３及び目盛表示部１０は、前記基台３４と基台支持体３３とに亘って例えば２組設けている。勿論１組構成とすることも可能である。
【００２７】
本実施の形態１の重量均衡装置１によれば、ねじ孔の一部をねじ込み方向に沿って欠如させたねじ筒３４ｂに螺合した調整ねじ体５を調整する簡略な操作だけで、前記補助コイルばね２から基台３４に作用する力量を調整し、前記カメラ４８の取り付けに伴う重量均衡を容易に行うことができる。
【００２８】
また、基台３４の上方から視認可能な凹溝部１１に設けた目盛１２に対する調整ねじ体５の位置を見て、この調整ねじ体５の調整に伴う力量の値も客観的に把握することが可能となる。
【００２９】
さらに、前記補助コイルばね２、力量調整機構部３及び目盛表示部１０を２組構成とすることで、各組の力量調整機構部３の調整ねじ体５の個別調整による力量調整を行うことができるとともに、各組の目盛表示部１０の目盛１２に対する調整ねじ体５の位置を視認することで、各組の力量調整状態を個別に確認することができる。
【００３０】
（実施の形態２）
図５、図６を参照して本発明の実施の形態２を説明する。
【００３１】
本実施の形態２においては、図６に示すように、前記基台３４と基台支持体３３との間に各々作用状態で介在した２個の補助コイルばね２Ａ、２Ｂと、前記２個の補助コイルばね２Ａ、２Ｂから基台３４に作用する各力量を連動機構２１を介して連動調整する１個の調整ねじ体５を用いた力量調整機構部２０と、実施の形態１と同様な目盛表示部１０とを設けたことが特徴である。
【００３２】
前記連動機構２１は、調整ねじ体５の下部を水平配置の連動部材２２に連結し、この連動部材２２の下面側を、補助コイルばね２Ａ、２Ｂを各々貫通する配置で前記基台支持体３３の厚肉部３３ｂの孔６ａに係合させた一対の支持棒２３Ａ、２３Ｂの頂部に各々係合させた構成となっている。
【００３３】
このような力量調整機構部２０を用いても、１個の調整ねじ体５を調整する簡略な操作だけで、２個の補助コイルばね２Ａ、２Ｂから基台３４に作用する力量を連動して調整し、前記カメラ４８の取り付け等に伴う重量均衡をとることができる。また、目盛表示部１０を視認することで、調整ねじ体５の調整に伴う力量の値も客観的に把握することが可能となる。
【００３４】
尚、２個の補助コイルばね２Ａ、２Ｂを用いる他、さらに４個、６個等さらに多数の補助コイルばねを用いた構成とすることもできる。補助コイルばねの個数を増やすことにより、前記カメラ４８の取り付け等に伴う重量を広範囲に分散させることができ、重量均衡をより取りやすいという利点がある。
【００３５】
（実施の形態３）
次に、図７、図８を参照して本発明の実施の形態３を説明する。
【００３６】
本実施の形態３においては、上述した目盛表示部１０の代りに、図７、図８に示すように、前記ねじ筒３４ｂにおけるねじ孔の欠如部分の外周近傍に沿って前記力量値を表示する目盛１２を設け、基台３４の正面に設けた視認窓２６から視認可能に構成した目盛表示部１０Ａを用いることが特徴である。この他の力量調整機構部の構成は実施の形態１又は２の場合と同様である。
【００３７】
前記視認窓２６としては、例えば基台３４の正面に透明板２７を嵌め込むことで構成できる。尚、この場合、基台支持体３３の垂直壁面には目盛表示部１０Ａに至る視界を妨げないための切り欠きを設けておく。
【００３８】
このような視認窓２６を設けることにより、２個の補助コイルばね２Ａ、２Ｂの調整に伴って各々の補助コイルばね２Ａ、２Ｂに対応配置した各目盛表示部１０により視認される力量の値を同時に読めるという利点がある。
【００３９】
また、視認窓２６は、基台３４の側面に設けることももちろん可能である。
【００４０】
本実施の形態３の目盛表示部１０Ａを備えた重量均衡装置１によっても、実施の形態１、２の場合と同様、前記基台３４の正面の視認窓２６から、前記ねじ筒３４ｂにおけるねじ孔の欠如部分の外周近傍に沿って設けた目盛１２に対する調整ねじ体５の位置を見ることで、調整ねじ体５の調整に伴う力量を客観的に把握することができる。
【００４１】
尚、上述した目盛表示部１０（又は目盛表示部１０Ａ）において、図４に示すように、目盛１２の領域を前記力量値の程度を示す色分け表示とすることもできる。
【００４２】
この場合、例えばフル目盛で１００ｇとした場合、力量値０乃至５０ｇの領域ａを青色、５０乃至８０ｇの領域ｂを黄色、８０乃至１００ｇの領域ｃを赤色というように色分けしておくことにより、色分けされた目盛１０に対する調整ねじ体５の位置の色を視認し判別することで、調整力量が少ない又は多い等というように直観的に把握することができ、力量調整作業の目安とすることができる。
【００４３】
【発明の効果】
請求項１記載の発明によれば、調整ねじ体を調整する簡略な操作だけで、重量均衡をとることができ、また、調整ねじ体の調整に伴う力量も客観的に把握することができる光学機器の重量均衡装置を提供することができる。
【００４４】
請求項２記載の発明によれば、１個の調整ねじ体を調整する簡略な操作で２個の補助弾性体による力量を連動して調整することができる光学機器の重量均衡装置を提供することができる。
【００４５】
請求項３記載の発明によれば、請求項１記載の発明の場合と同様、簡略な操作だけで重量均衡をとることができ、また、基台上方から調整力量を客観的に把握することができる光学機器の重量均衡装置を提供することができる。
【００４６】
請求項４記載の発明によれば、請求項１記載の発明の場合と同様、簡略な操作だけで重量均衡をとることができ、また、基台側から調整力量を客観的に把握することができる光学機器の重量均衡装置を提供することができる。
【図面の簡単な説明】
【図１】本発明の実施の形態１の光学機器の一種であるフォトスリットランプを示す斜視図である。
【図２】本実施の形態１のフォトスリットランプの主要部の断面図である。
【図３】本実施の形態１のフォトスリットランプの基台部分の拡大斜視図である。
【図４】本実施の形態１のねじ筒及び目盛表示部を示す部分断面図である。
【図５】本発明の実施の形態２の基台部分の拡大斜視図である。
【図６】本発明の実施の形態２の調整ねじ体及び力量調整機構部を示す部分断面図である。
【図７】本発明の実施の形態３の基台部分の拡大斜視図である。
【図８】本実施の形態３の目盛表示部及び視認窓を示す部分拡大図である。
【図９】従来のフォトスリットランプを示す斜視図である。
【図１０】従来のフォトスリットランプの主要部の断面図である。
【図１１】従来のフォトスリットランプにおいてカメラを取り外した状態を示す部分斜視図である。
【符号の説明】
１  重量均衡装置
２  補助コイルばね
２Ａ  補助コイルばね
２Ｂ  補助コイルばね
３  力量調整機構部
５  調整ねじ体
１０  目盛表示部
１０Ａ  目盛表示部
１１  凹溝部
１２  目盛
２０  力量調整機構部
２６  視認窓
３３…基台支持体
３４…基台
３５ｂ…光学要素取付部
４１  主コイルばね
【図１】
0004421026.tif 000002
【図２】
0004421026.tif 000003
【図３】
0004421026.tif 000004
【図４】
0004421026.tif 000005
【図５】
0004421026.tif 000006
【図６】
0004421026.tif 000007
【図７】
0004421026.tif 000008
【図８】
0004421026.tif 000009
【図９】
0004421026.tif 000010
【図１０】
0004421026.tif 000011
【図１１】
0004421026.tif 000012